(57)【特許請求の範囲】
【請求項１】
石綿スレート板の撤去作業時に発生する石綿ダスト及び該石綿スレート板の留め金具である釘を含むごみを吸引除去する掃除装置であって、
屋根板に前記石綿スレート板を固定している前記釘の周囲を覆うダスト飛散防止カバーと、
先部の吸引口が前記釘に近接して配置され、前記ダスト飛散防止カバーに取付けられているパイプと、
前記パイプに真空ホースを介して接続される掃除機本体と、
前記ダスト飛散防止カバーの開口部から差し込んだ状態で配置される釘抜き具とを有することを特徴とする掃除装置。
【請求項２】
請求項１記載の掃除装置において、前記真空ホースの中間部に前記釘を除去する異物除去手段が設けられていることを特徴とする掃除装置。
【請求項３】
請求項１及び２のいずれか１記載の掃除装置において、前記ダスト飛散防止カバーは透明部材からなるフードを有し、該フードの内面側にあって、該フードをドーム状に保持する形状保持部材が設けられていることを特徴とする掃除装置。
【発明の詳細な説明】
【技術分野】
【０００１】
本発明は、釘、ねじ、その他の金属片、セラミック片の１又は２以上を含む異物が混じっているごみを吸引除去する掃除装置に関する。
【背景技術】
【０００２】
従来、例えば、解体機を用いて建物を解体する場合、粉塵（アスベストを含む）の発生を防止するため散水しながら行なっている。しかし、十分に水が散水されないと粉塵が飛散するという問題が生じ、水の散水が過剰となると汚れた水で周囲を汚してしまうという問題が生じていた。
そこで、粉塵吸引装置の吸引部を解体箇所に近づけて、解体時に発生する粉塵を吸引することが行なわれている（例えば、特許文献１参照）。
【０００３】
【特許文献１】特開平８−１２０９５０号公報
【発明の開示】
【発明が解決しようとする課題】
【０００４】
ここで、粉塵吸引装置の本体部と吸引部が長いホースで接続されている場合、ホースの途中に屈曲部が生じていると、粉塵と同時に吸引した異物（例えば、釘、ねじ、その他の金属片、小破砕屑など）が屈曲部に引っかかって堆積し、ホースが閉塞するという問題が生じる。また、異物がホース内に引っかからずに粉塵と共に本体部内に流入すると、本体部内に設けられた粉塵除去用のフィルターに捕集されるため、粉塵の吸引力が短時間で低下したり、フィルターが破損するという問題も発生する。
【０００５】
本発明は係る事情に鑑みてなされたもので、釘、ねじ、その他の金属片、セラミック片の１又は２以上を含む異物が混じっているごみを吸引除去する作業性に優れた掃除装置を提供することを目的とする。
【課題を解決するための手段】
【０００６】
前記目的に沿う本発明に係る掃除装置は、石綿スレート板の撤去作業時に発生する石綿ダスト及び該石綿スレート板の留め金具である釘を含むごみを吸引除去する掃除装置であって、屋根板に前記石綿スレート板を固定している前記釘の周囲を覆うダスト飛散防止カバーと、先部の吸引口が前記釘に近接して配置され、前記ダスト飛散防止カバーに取付けられているパイプと、前記パイプに真空ホースを介して接続される掃除機本体と、前記ダスト飛散防止カバーの開口部から差し込んだ状態で配置される釘抜き具とを有する。
【０００７】
前記パイプは前記カバーを貫通し、先部に前記吸引口が設けられたハンドリング用のパイプである場合や、前記カバーの上部は、前記工具の固定部に固定されている場合がある。
【０００８】
本発明に係る掃除装置において、前記異物除去手段は、通気する気流の風速を落として異物を沈降除去する収納部を有することができる。また、前記異物除去手段は、フィルターと該フィルターを非通過する異物を収納する収納部とを有することもできる。
【０００９】
本発明に係る掃除装置において、前記異物除去手段は、前記収納部の開口を塞ぐ蓋部を有し、該蓋部には前記真空ホースの上流側と接続し前記収納部に連通する吸込み部と、該収納部と連通し前記真空ホースの下流側と接続する吐出部が設けられ、前記収納部の流路断面積は前記吸込み部の流路断面積に対して急拡大していることが好ましい。
そして、前記蓋部の内側には、前記収納部の内面と隙間を有して分離板が設けられ、しかも、前記吸込み部のみが該分離板を貫通していることが好ましい。
【００１０】
本発明に係る掃除装置において、前記異物除去手段は、前記収納部の開口を塞ぐ蓋部を有し、該蓋部には前記真空ホースの上流側と接続し前記収納部に連通する吸込み部が設けられ、該吸込み部の途中位置には前記真空ホースの下流側と接続する吐出部が分岐して設けられ、しかも、該吐出部の入口は前記フィルターで覆われていることが好ましい。
【００１１】
本発明に係る掃除装置において、前記収納部の全部又は一部が、透明部材又は半透明部材で構成されていることが好ましい。
また、前記パイプは前記カバーの一部に連結され、該カバーから露出する前記パイプに前記真空ホースの先部が固定されているのが好ましい。
【００１２】
【発明の効果】
【００１３】
請求項１〜３記載の掃除装置においては、発生する石綿ダストは、掃除機本体で吸引でき、石綿ダストの外部への飛散を防止できる。
また、釘が吸引口から吸引された場合、石綿ダストと異物である釘が混じった状態のごみが真空ホース内を移送される。
【００１４】
【００１５】
【００１６】
【発明を実施するための最良の形態】
【００１７】
続いて、添付した図面を参照しつつ、本発明を具体化した実施の形態につき説明し、本発明の理解に供する。
ここで、図１は本発明の第１の実施の形態に係る掃除装置の説明図、図２は同掃除装置の異物除去手段の側断面図、図３は同掃除装置を使用したごみの除去方法の説明図、図４は本発明の第２の実施の形態に係る掃除装置の異物除去手段の説明図、図５は本発明の第３の実施の形態に係る掃除装置の説明図である。
【００１８】
図１に示すように、本発明の第１の実施の形態に係る掃除装置１０は、例えば、飛散し難い白石綿（クリソタイル）が使用されている石綿含有建材（施工対象）の一例である石綿スレート板１１の撤去作業時（図３参照）に発生する石綿ダストに、異物である釘１２（石綿スレート板１１の留め金具）が混じっているごみを吸引除去するもので、ブラシ１３を備えた吸引口１４が先部に形成されたハンドリング用のパイプ１５と、パイプ１５に長尺の真空ホース１６を介して接続される掃除機本体１７とを有し、真空ホース１６の中間部には、例えば、床載置型でごみ中から釘１２を除去する異物除去手段１８が設けられている。以下、詳細に説明する。
【００１９】
ブラシ１３は、パイプ１５の先端部の外周側面から先端側に突出して設けられ、これによって、石綿スレート板１１に付着する石綿ダストに外力を与えることで吸引し易くしている。
パイプ１５は、例えば、プラスチック製であって、その長さは延長パイプの取付けによって調整する。そして、パイプ１５の先部には、石綿スレート板１１の撤去作業において、石綿ダストの発生箇所（粉塵発生部）を覆うダスト飛散防止カバー（カバーの一例）１９が取付けられている。
【００２０】
ダスト飛散防止カバー１９は、膜状の透明部材（例えば、ポリプロピレン、塩化ビニルなど）で形成されたドーム状のフード２２を有しており、フード２２の一部（側部）には、開口部２０が設けられて、上部にパイプ１５の先部を挿通させ挿入したパイプ１５の側面に密接するパイプ挿入部２１が形成されている。また、ダスト飛散防止カバー１９は、フード２２の下部周縁及び開口部２０の縁に取付けられ弾力性部材（例えば、ゴム、スポンジなど）から形成された補強部２３を有している。更に、ダスト飛散防止カバー１９には、フード２２の内面側に当接してフード２２をドーム状に保持する、例えば、針金などの形状保持部材（図示せず）が設けられている。
【００２１】
このような構成とすることにより、撤去しようとする石綿スレート板１１を屋根板２４（図３参照）に固定している釘１２が中央部にくるようにしてダスト飛散防止カバー１９を配置することで、石綿ダストの発生箇所をフード２２で覆うことができる。そして、ダスト飛散防止カバー１９の開口部２０から、石綿スレート板１１の上に置いた取り外し工具の一例である釘抜き具２５を挿入させて釘抜き具２５の作動部に釘１２の頭部を挟んで釘１２を引き抜くことができる。また、パイプ挿入部２１から挿通されたパイプ１５は、ダスト飛散防止カバー１９に対して首振り及び進退可能な状態となっているので、パイプ１５の先部の吸引口１４の位置を自由に調整でき、石綿スレート板１１の撤去時に発生する石綿ダストを容易に吸引することができる。
【００２２】
異物除去手段１８は、図２に示すように、例えば、直方体状で上部に開口が形成された収納部２６と、パッキン２７を介して収納部２６の開口を塞ぐ蓋部２８とを有している。そして、収納部２６は、透明部材（例えば、ポリプロピレン、塩化ビニルなど）で構成されている。これにより、収納部２６に収納される釘１２の量を容易に確認することができる。ここで、収納部２６の側面には、図示しない水噴射用のノズルの先部を収納部２６内に挿入する挿入孔２８ａが設けられ、挿入孔２８ａには蓋２８ｂが取付けられている。
また、蓋部２８には真空ホース１６の上流側と接続し収納部２６に連通する吸込み部２９と、収納部２６と連通し真空ホース１６の下流側と接続する吐出部３０が設けられている。
【００２３】
吸込み部２９は、蓋部２８に第１の取付け部材３１を介して一端側が固定される第１のエルボ３２と、第１のエルボ３２の他端側に取付けられて真空ホース１６と接続する入側パイプ３３と、第１の取付け部材３１に取付けられて第１のエルボ３２の一端側と連通する出側パイプ３４とを有している。また、吐出部３０は、蓋部２８に第２の取付け部材３５を介して一端側が固定される第２のエルボ３６と、第２のエルボ３６の他端側に取付けられて真空ホース１６と接続する吐出パイプ３７とを有している。そして、収納部２６の流路断面積は、吸込み部２９の流路断面積に対して、急拡大（例えば、吸込み部２９の流路断面積に対して４０〜６０倍）している。これによって、吸込み部２９の出口から収納部２６内に流入した気流の風速を急激に低下させることができる。
【００２４】
蓋部２８の内側には、収納部２６の内面と隙間を有し複数の支持部材３８ａを介して分離板３８が設けられ、しかも、吸込み部２９の出側パイプ３４の先側のみが分離板３８を貫通している。また、分離板３８の外周部には、分離用メッシュ部材３８ｂが突出して設けられ、その先端部は収納部２６の内面に当接している。
このような構成とすることにより、ごみを巻き込んだ気流が吸込み部２９の出口から収納部２６内に流入すると、気流の風速が急激に低下して釘１２が収納部２６の底に沈降し、釘１２が除去された後のごみを巻き込んだ気流が分離板３８と収納部２６の内面との隙間に設けられた分離用メッシュ部材３８ｂを通過して吐出部３０の入口内に流入する。そして、分離板３８が存在することで、収納部２６の底に沈降した釘１２が気流で舞い上げられて、吐出部３０の入口に流入するのが防止される。
【００２５】
掃除機本体１７は、真空ホース１６の基部が接続される吸入口３９に取り替え可能に取付けられて、釘１２が除去された後のごみを捕集するバッグ状の捕集フィルター４０を備えた第１の捕集部４１と、第１の捕集部４１の上方に設けられ、捕集フィルター４０内の空気を外部に排気する排気ファンを備えた排気部４２と、掃除機本体１７の排出側に設けられ、捕集フィルター４０を通過した空気を更に細かなフィルターで除塵して排出口から排気する第２の捕集部４３とを有している。捕集フィルター４０では、釘１２が除去された後のごみのみが捕集されるので、掃除機本体１７としての吸引能力を長時間維持することができる。更に、釘１２が捕集フィルター４０内に進入しないため、捕集フィルター４０の破損も防止できる。
【００２６】
続いて、本発明の第１の実施の形態に係る掃除装置１０を使用したごみの除去方法について説明する。
図１、図３に示すように、屋根板２４に釘止めされている石綿スレート板１１の撤去作業では、釘抜き具２５で釘１２を取り除く際に、石綿ダストが発生する。そこで、釘１２の周囲を、パイプ１５の先部に取付けられたダスト飛散防止カバー１９で覆い、石綿スレート板１１を固定している釘１２にパイプ１５の先部の吸引口１４を近接配置する。そして、載置台４４上に配置した掃除機本体１７を運転して吸引口１４からダスト飛散防止カバー１９内の空気を吸引しながら、開口部２０から釘抜き具２５（作動部）を差し込んで、釘１２を引き抜く。このとき、発生する石綿ダストは、掃除機本体１７で捕集することができ、石綿ダストの外部への飛散が防止できる。なお、掃除機本体１７は高所に配置するので、掃除機本体１７は図示しない固定部材で載置台４４に固定されている。
【００２７】
ここで、吸引口１４に設けられたブラシ１３によって引き抜かれた釘１２が吸引されるのが防止できるが、吸引口１４を釘１２に近接させているため、釘１２が石綿ダストと共に吸引されることがある。釘１２が吸引口１４から吸引された場合、石綿ダストと異物である釘１２が混じった状態のごみが、真空ホース１６内を移送される。
【００２８】
図２に示すように、真空ホース１６内を移送されているごみは、異物除去手段１８の吸込み部２９に設けられた入側パイプ３３から進入し、出側パイプ３４の出口から収納部２６内に排出される。ここで、収納部２６の流路断面積は、吸込み部２９の流路断面積に対して急拡大しているので、出側パイプ３４の出口から流入した気流の風速は急激に低下する。このため、釘１２が気流から分離されて収納部２６の底に沈降して除去される。そして、石綿ダストを含んだ気流が分離板３８と収納部２６の側壁との間に形成されている隙間を通過して、吐出部３０に設けられた第２のエルボ３６の入口内に流入する。ここで、分離板３８が存在することで、収納部２６の底に沈降した釘１２が気流で舞い上げられて、吐出部３０に設けられた第２のエルボ３６の入口から真空ホース１６内に流入するのを防止できる。
【００２９】
このように、釘１２が収納部２６で分離除去されることにより、図３に示すように、屋根板２４の石綿スレート板１１の撤去作業を行なっていて、撤去作業場所が掃除機本体１７に近づいて長尺の真空ホース１６の一部が、例えば、屋根から垂れ下がってたるみ部４４ａが形成されている状態で、吸引中に吸引口１４が石綿スレート板１１などに密着して吸込み風量が一気に減少しても、あるいは、掃除機本体１７内に徐々にごみがたまって吸込み風量が低下してきても、たるみ部４４ａに釘１２が集まって真空ホース１６を閉塞させて一気に吸引不能になる事態が防止できる。
【００３０】
異物除去手段１８の吐出部３０から真空ホース１６内に吐出された石綿ダストを含んだ気流は、掃除機本体１７の吸入口３９から第１の捕集部４１の捕集フィルター４０内に流入する。そして、石綿ダストを含んだ気流が捕集フィルター４０を通過する際に、石綿ダストは捕集フィルター４０で捕捉され、捕集フィルター４０を通過した気流は第２の捕集部４３のフィルターを通過して排出口から大気中に放出される。このため、捕集フィルター４０を通過した気流中に、捕集フィルター４０では捕集できないサイズの石綿ダストが存在していても、第２の捕集部４３で捕集することができ、石綿ダストを含まない気流を大気中に放出することができる。
【００３１】
ここで、収納部２６は、透明部材で構成されているので、収納部２６に堆積している釘１２の量を容易に確認できる。収納部２６に釘１２が堆積してくると、釘１２の引き抜き作業を中断し、吸込み部２９及び吐出部３０に接続している真空ホース１６を外して、使用中の収納部２６を蓋部２８が取付けられた状態で取り外す。そして、別の収納部に取付けられている蓋部の吸込み部及び吐出部にそれぞれ真空ホース１６を接続して、釘１２の引き抜き作業を再開する。
【００３２】
なお、蓋部２８が取付けられた状態で取り外した収納部２６は、吸込み部２９の入口側及び吐出部３０の出口側をそれぞれ塞いだ状態で、釘１２の回収場所まで搬送する。そして、挿入孔２８ａを塞いでいる蓋２８ｂを取り外し、挿入孔２８ａから水噴射用のノズルの先部を収納部２６内に挿入して水を噴射し、蓋部２８及び収納部２６の各内面と釘１２にそれぞれ付着している石綿ダストが飛散しないようにする。次いで、蓋部２８を押えている押え部材４５を外して蓋部２８を取り外して釘１２を取り出し、釘１２、蓋部２８、及び収納部２６にそれぞれ付着している石綿ダストを除去する。
【００３３】
本発明の第２の実施の形態に係る掃除装置４６は、第１の実施の形態に係る掃除装置１０と比較して、床載置型の異物除去手段４７の構成が異なることが特徴となっている。このため、異物除去手段４７に関してのみ詳細に説明し、同一の構成部材には同一の符号を付して説明を省略する。
図４に示すように、異物除去手段４７は、例えば、網状のフィルター４８と、フィルター４８を非通過する異物である釘１２を突出した収納口（開口）４９から引き入れて収納するびん状の収納部５０とを有している。
【００３４】
また、異物除去手段４７は、収納口４９の外側に形成された雄ねじ部に噛合する雌ねじ部が内側に形成され、収納口４９にねじ込まれて収納口４９を塞ぐ蓋部５１を有している。そして、蓋部５１には、真空ホース１６の上流側と接続し収納部５０に連通する管状の吸込み部５２が設けられ、吸込み部５２の途中位置には開口部５３が形成され、開口部５３には真空ホース１６の下流側と接続する管状の吐出部５４が分岐状態で接続されている。更に、吐出部５４の入口となる開口部５３は、フィルター４８で覆われている。ここで、収納部５０は、透明部材（例えば、ポリプロピレン、塩化ビニルなど）で構成されている。これにより、収納部５０に収納される釘１２の量を容易に確認することができる。
【００３５】
このような構成とすることにより、掃除機本体１７を運転すると、石綿ダストと異物である釘１２が混じっているごみが吸引され真空ホース１６内を通過して吸込み部５２内に進入する。ここで、開口部５３を通過する際に、石綿ダストと釘１２を巻き込んだ気流の方向が急激に変わるため、石綿ダストは気流に巻き込まれてフィルター４８を通過して開口部５３から吐出部５４内に進入するが、釘１２は自身が有する慣性とフィルター４８の存在によって開口部５３を通過することができず、釘１２は吸込み部５２を通過して収納部５０内に流入して分離除去される。
【００３６】
本発明の第２の実施の形態に係る掃除装置４６を使用したごみの除去方法は、本発明の第１の実施の形態に係る掃除装置１０を使用したごみの除去方法と実質的に同一なので、掃除装置４６を使用したごみの除去方法の説明は省略する。
なお、収納部５０に釘１２が堆積してくると、釘１２の引き抜き作業を中断し、吸込み部５２及び吐出部５４に接続している真空ホース１６を外して、使用中の収納部５０を蓋部５１が取付けられた状態で取り外す。
【００３７】
そして、別の収納部に取付けられている蓋部の吸込み部及び吐出部にそれぞれ真空ホース１６を接続して、釘１２の引き抜き作業を再開する。蓋部５１が取付けられた状態で取り外した収納部５０は、吸込み部５２の入口側及び吐出部５４の出口側をそれぞれ塞いだ状態で釘１２の回収場所まで搬送し、蓋部５１を外して蓋部５１及び収納部５０の各内面と釘１２に付着している石綿ダストを飛散させないようにして釘１２を取り出し、釘１２、蓋部５１、及び収納部５０に付着している石綿ダストを除去する。
【００３８】
次に、図５を参照しながら、本発明の第３の実施の形態に係る掃除装置６０について説明する。図に示すように、工具の一例である電動ドリル６２は、作動部６３を有している。この作動部６３は、ドリルチャック６４及びこれに取付けられるドリル刃６５を有し、回転駆動される。この作動部６３を囲んで略円錐台状のカバー６６を有し、このカバー６６に先部に吸引口６７を備えたパイプ６８が設けられている。パイプ６８の基部（カバー６６から露出する部分）側には真空ホース６９の先部が設けられている。なお、この電動ドリル６２は施工対象の一例であるスレート板７０の所定の位置（孔を形成しようとする位置）に取付けられたドリル刃６５を合わせて配置されている。そして、粉塵発生部はここではドリル刃６５で形成された孔となる。
【００３９】
この真空ホース６９は負圧により吸ったゴミを図示しない異物除去手段を介して掃除機本体１７（図１参照）に供給するようになっている。この異物除去手段としては、例えば、図２に示すような異物除去手段１８、図４に記載している異物除去手段４７が適用できる。これによって、電動ドリル６２によって、スレート板７０に孔を形成する。この場合、大量の粉塵（アスベスト粉を含む）が発生するが、吸引口６７より吸い込まれて外部に漏れない。なお、カバー６６の周囲の下端部には円状の骨材７１が配置され、途中位置にも負圧によってカバー６６が凹まないための骨材が配置されている。カバー６６は透明の合成樹脂シートを主体とし、上部は電動ドリル６２の固定部（即ち、非回転部分）７２に固定される。
【００４０】
また、この実施の形態においては、工具として電動ドリル６２を使用したが、例えば、ホールソー、チゼル（はつり具）などであっても本発明は適用される。第１〜第３の実施の形態を含むこの発明は、特に石綿を使用した構造物を解体する場合で、釘やねじを外す場合、一部に孔を穿つ場合、一部をはつる場合などに発生する石綿粉塵の回収に特に有効である。
【００４１】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
例えば、第１、第２の実施の形態では、収納部の全部を透明部材で構成したが、半透明部材で構成してもよく、また、収納部の一部を透明部材又は半透明部材で構成してもよい。また、第１の実施の形態では、分離板の外周部に分離用メッシュ部材を突設させたが、分離用メッシュ部材は、その一端側を分離板の外周部に、他端側を蓋部の内側にそれぞれ取付けるように設置しても、吐出部３０の入口に直接取付けてもよく、分離用メッシュ部材を取付けなくてもよい。
【００４２】
更に、第１、第２の実施の形態では、異物除去手段を床載置型として屋根上に載置して使用したが、肩に掛けて使用するようにしてもよい。異物除去手段を肩に掛けて使用することで、ハンドリング用のパイプの操作が容易になって、ごみの吸引除去の作業を効率的に行なうことができる。
【００４３】
第１、第２の実施の形態では、掃除装置を石綿スレート板の撤去作業時に発生する石綿ダストを吸引除去する場合に適用したが、釘、ねじ、その他の金属片、セラミック片の１又は２以上を含む異物が散在している建設中の建物内の清掃作業、工場内の清掃作業にも本発明の掃除装置を適用できる。
【図面の簡単な説明】
【００４４】
【図１】本発明の第１の実施の形態に係る掃除装置の説明図である。
【図２】同掃除装置の異物除去手段の側断面図である。
【図３】同掃除装置を使用したごみの除去方法の説明図である。
【図４】本発明の第２の実施の形態に係る掃除装置の異物除去手段の説明図である。
【図５】本発明の第３の実施の形態に係る掃除装置の説明図である。
【符号の説明】
【００４５】
１０：掃除装置、１１：石綿スレート板、１２：釘、１３：ブラシ、１４：吸引口、１５：パイプ、１６：真空ホース、１７：掃除機本体、１８：異物除去手段、１９：ダスト飛散防止カバー、２０：開口部、２１：パイプ挿入部、２２：フード、２３：補強部、２４：屋根板、２５：釘抜き具、２６：収納部、２７：パッキン、２８：蓋部、２８ａ：挿入孔、２８ｂ：蓋、２９：吸込み部、３０：吐出部、３１：第１の取付け部材、３２：第１のエルボ、３３：入側パイプ、３４：出側パイプ、３５：第２の取付け部材、３６：第２のエルボ、３７：吐出パイプ、３８：分離板、３８ａ：支持部材、３８ｂ：分離用メッシュ部材、３９：吸入口、４０：捕集フィルター、４１：第１の捕集部、４２：排気部、４３：第２捕集部、４４：載置台、４４ａ：たるみ部、４５：押え部材、４６：掃除装置、４７：異物除去手段、４８：フィルター、４９：収納口、５０：収納部、５１：蓋部、５２：吸込み部、５３：開口部、５４：吐出部、６０：掃除装置、６２：電動ドリル、６３：作動部、６４：ドリルチャック、６５：ドリル刃、６６：カバー、６７：吸引口、６８：パイプ、６９：真空ホース、７０：スレート板、７１：骨材、７２：固定部
【図１】
0004235248.tif 000002
【図２】
0004235248.tif 000003
【図３】
0004235248.tif 000004
【図４】
0004235248.tif 000005
【図５】
0004235248.tif 000006